(57)【要約】【課題】  ヘッドホンユニットをヘッドバンドに対し摺動可能で、かつ、ヘッドバンドの長手方向周りに回転可能として、収納保管、携帯などに便利としたヘッドホン装置を提案する。【解決手段】  湾曲形成した２本の金属線１１ａ、１１ｂを有する帯状のヘッドバンド１１の両側方にヘッドホンユニット２１、２２を取り付ける連結部２３、２４を摺動子と回転嵌合部とから構成し、前記摺動子は、円形断面の短柱状で、その端面側から前記金属線１１ａ、１１ｂを貫通させて前記金属線１１ａ、１１ｂを摺動可能とし、前記回転嵌合部は、ヘッドホンユニット２１、２２のハウジング背後に設け、前記摺動子に回転可能に嵌着した構成とし、ヘッドホンユニット２１、２２を前記連結部２３、２４によって、摺動可能で、かつ、回転可能に取り付けた構成としてある。【選択図】図１
2011055177.tif 000002
【特許請求の範囲】
【請求項１】
電気音響変換部を内蔵したヘッドホンユニットが、ヘッドバンドの両側方各々に取り付けられているヘッドホン装置において、
金属線を湾曲形成した少なくとも２本の弾性材を有する帯状のヘッドバンドと、
円形断面の短柱状に形成し、その端面側から前記ヘッドバンドの弾性材を貫通させ、非回転としてヘッドバンドを摺動可能とした摺動子と、
前記ヘッドホンユニットのハウジング背後に設け、前記摺動子に回転可能に嵌着した回転嵌合部とから構成し、
前記した摺動子と回転嵌合部とからなる連結部によって、ヘッドバンドの長手方向に摺動可能に、かつ、ヘッドバンドの長手方向周りに回転可能に取り付けたヘッドホンユニットを備えたことを特徴とするヘッドホン装置。
【請求項２】
請求項１に記載したヘッドホン装置において、
金属線を湾曲形成した少なくとも２本の弾性材を有するヘッドバンドは、帯状弾性板を有するヘッドバンドとし、かつ、前記摺動子にはこの帯状弾性板を通す貫通孔を設けて構成したことを特徴とするヘッドホン装置。
【請求項３】
請求項１又は２に記載したヘッドホン装置において、
前記した連結部を構成する摺動子と回転嵌合部との一方に凹形部を、その他方に凸形部を設け、これら凹凸形部によって前記ヘッドホンユニットの回転範囲を定める回転規制部を形成したことを特徴とするヘッドホン装置。
【発明の詳細な説明】
【技術分野】
【０００１】
本発明は、ヘッドバンドの長手方向に摺動可能に、かつ、ヘッドバンドの長手方向周りに回転可能に取り付けたヘッドホンユニットを備えたことを特徴とするヘッドホン装置に関する。
【背景技術】
【０００２】
ヘッドバンドの両側方各々にヘッドホンユニットが取り付けられたヘッドホン装置が広く知られている。
図１３及び図１４はこの種のヘッドホン装置の第１従来例を示し、図１３はヘッドホン装置の正面図、図１４は同ヘッドホン装置の右側面図である。
図示するように、このヘッドホン装置は、ヘッドバンド１１の両側方各々にヘッドホンユニット１２、１３が取り付けられた形態となっている。
【０００３】
そして、ヘッドバンド１１は、２本の金属線１１ａ、１１ｂをＣの字形に湾曲形成し、中程をカバー１１ｃで覆い、両側方部分に金属線１１ａ、１１ｂが張り出している。
なお、金属線１１ａ、１１ｂの端部は、図示するように、Ｕの字状に一体に折り曲げられている。
【０００４】
また、右側のヘッドホンユニット１２は、ハウジング１２ａの背後にネジ止めされた連結体１４によってヘッドバンド１１に取り付けられている。
そして、この連結体１４には金属線１１ａ、１１ｂが貫通されており、この連結体１４を金属線１１ａ、１１ｂに沿って摺動させてヘッドホンユニット１２を図示矢印方向に摺動させるようになっている。
【０００５】
具体的には、連結体１４には、金属線１１ａ、１１ｂを挿通させる開口溝が設けてあり、連結体１４をネジ止めする前に、金属線１１ａ、１１ｂを開口溝に嵌入させた後、連結体１４をハウジング１２ａにネジ止めするようになっている。
ヘッドホンユニット１３も同様に、ハウジング１３ａの背後にネジ止めした連結体１５にヘッドバンド１１の金属線１１ａ、１１ｂを貫通させて摺動可能に取り付けられている。
なお、左側のヘッドホンユニット１３も同様にハウジング１３ａにネジ止めした連結体１５によってヘッドバンド１１に取り付けられている。
【０００６】
上記のように取り付けられたヘッドホンユニット１２、１３は、音響出力面側が向き合う形態となっている。
つまり、ヘッドホンユニット１２、１３のハウジング１２ａ、１３ａの前側に設けられた柔軟部材からなる耳当て部１２ｂ、１３ｂが内向きとなり、それらの前面側が向き合っている。
その他、図示するコード１６は、音響機器から音響信号を入力する信号線を示し、コード１７は２つのヘッドホンユニット１２、１３を電気接続する信号線を示す。
【０００７】
上記したヘッドホン装置は、ヘッドホンユニット１２、１３を引き離す方向に左右の手で広げながらヘッドバンド１１を頭部に装着すると、ヘッドバンド１１の復元弾性力でヘッドホンユニット１２、１３が左右の耳に押し当たる。
そして、ヘッドホンユニット１２、１３を上下に摺動移動させて耳に適度に当接するように調節し、ヘッドホンユニットが出力する音響を聴取する。
【０００８】
上記したところの第１従来例のヘッドホン装置は、ヘッドホンユニット１２、１３がヘッドバンド１１の長手方向には摺動可能であるが、ヘッドバンド１１のバンド軸周り（ヘッドバンドの長手方向周り）には回転させることができない。
このことから、ヘッドホン装置の奥行き幅（ヘッドバンドの幅方向となる距離）がヘッドホンユニット１２、１３の直径（耳当て部の直径）に相当する距離幅となるため、収納保管や携帯する場合、或いは、運搬するときなどに嵩張るものとなる。
【０００９】
この問題を解決するため、現今では、ヘッドバンドのバンド軸周り方向にヘッドホンユニットを回転可能としたヘッドホン装置が提案されている。
この第２従来例のヘッドホン装置は、ヘッドバンドの端部とヘッドホンユニットとを筒軸で回転可能に連結すると共に、ヘッドホンユニットの前面をコイルバネの付勢力を利用してヘッドバンドの湾曲面に平面させるように回転させ、嵩張りの問題点を解決している。
使用する場合には、耳当て部を内向きなるようにヘッドホンユニットを回転させて、ヘッドバンドを頭部に装着する。
【先行技術文献】
【特許文献】
【００１０】
【特許文献１】特開２００８−２０５５８５号公報
【発明の概要】
【発明が解決しようとする課題】
【００１１】
上記した第１従来例のヘッドホン装置は、湾曲形成した２本の金属線１１ａ、１１ｂを設けたヘッドバンド１１となっているので、頭部に対する適度な装着力を得るヘッドバンドとなる他、ヘッドホンユニットの連結部を上記の金属線１１ａ、１１ｂに摺動可能なものとして構成できるので、簡単な構成で使い易いヘッドホン装置となる。
しかしながら、このヘッドホン装置は、ヘッドホンユニットが回転できないので、収納保管や携帯する場合、或いは、運搬するときなどに嵩張るものとなる。
【００１２】
上記した第２従来例のヘッドホン装置は、ヘッドバンドに対しヘッドホンユニットが回転可能であるから、収納保管や携帯するときなどに嵩張ると言う問題は解決されているが、ただ、ヘッドバンドの端部にヘッドホンユニットを筒軸で回転可能に連結するため、ヘッドホンユニットの連結部品が多くなる他、連結構成が複雑なものとなる。
その上、ヘッドバンドに対しヘッドホンユニットが摺動しないため、ヘッドホンユニットを適度に装着するためには、ヘッドバンドとは別にヘッドベルトなどを設ける必要がある。
【００１３】
本発明は、上記した実情にかんがみ、ヘッドバンドに対し摺動可能で、かつ、回転することができるヘッドホンユニットを有するヘッドホン装置を構成簡単にして提案することを目的とする。
【課題を解決するための手段】
【００１４】
上記した目的を達成するため、本発明では第１の発明として、電気音響変換部を内蔵したヘッドホンユニットが、ヘッドバンドの両側方各々に取り付けられているヘッドホン装置において、金属線を湾曲形成した少なくとも２本の弾性材を有する帯状のヘッドバンドと、円形断面の短柱状に形成し、その端面側から前記ヘッドバンドの弾性材を貫通させ、非回転としてヘッドバンドを摺動可能とした摺動子と、前記ヘッドホンユニットのハウジング背後に設け、前記摺動子に回転可能に嵌着した回転嵌合部とから構成し、前記した摺動子と回転嵌合部とからなる連結部によって、ヘッドバンドの長手方向に摺動可能に、かつ、ヘッドバンドの長手方向周りに回転可能に取り付けたヘッドホンユニットを備えたことを特徴とするヘッドホン装置を提案する。
【００１５】
第２の発明としては、上記した第１の発明のヘッドホン装置において、金属線を湾曲形成した少なくとも２本の弾性材を有するヘッドバンドは、帯状弾性板を有するヘッドバンドとし、かつ、前記摺動子にはこの帯状弾性板を通す貫通孔を設けて構成したことを特徴とするヘッドホン装置を提案する。
【００１６】
第３の発明としては、上記した第１又は第２の発明のヘッドホン装置において、前記した連結部を構成する摺動子と回転嵌合部との一方に凹形部を、その他方に凸形部を設け、これら凹凸形部によって前記ヘッドホンユニットの回転範囲を定める回転規制部を形成したことを特徴とするヘッドホン装置を提案する。
【発明の効果】
【００１７】
第１の発明のヘッドホン装置は、ヘッドバンドの弾性材を貫通させ、ヘッドバンドを非回転として摺動可能とした摺動子と、ヘッドホンユニットのハウジングに設けて前記摺動子に回転可能に嵌着した回転嵌合部とでヘッドホンユニットの連結部を構成したので、ヘッドホンユニットをヘッドバンドに沿って摺動させて位置調整することができ、また、ヘッドホンユニットをヘッドバンドの長手方向周りに回転させて嵩張らない形態とすることができるから、収納保管や携帯、或いは、運搬するときなどに便利となる。
【００１８】
また、上記したヘッドホン装置は、第２の発明のように、２本の弾性材を有するヘッドバンドに換えて、帯状弾性板を有するヘッドバンドとして構成することができ、さらに、第３の発明のように、連結部を構成する摺動子と回転嵌合部との一方に凹形部を、その他方に凸形部を設け、これら凹凸形部によってヘッドホンユニットの回転範囲を定める回転規制部を形成することができる。
【００１９】
上記のように、本発明のヘッドホン装置は、ヘッドバンドに取り付けるヘッドホンユニットの取り付け部について、摺動子と回転嵌合部とからなる連結部として構成したので、部品点数の少ない簡単な構成で、摺動と回転が可能なヘッドホンユニットを備えるヘッドホン装置が提供できる。
【図面の簡単な説明】
【００２０】
【図１】本発明の１実施形態として示したヘッドホン装置の正面図である。
【図２】同ヘッドホン装置の右側面図である。
【図３】上記したヘッドホン装置に備えるヘッドホンユニットとヘッドバンドとの連結部を拡大して示した部分的な正面図である。
【図４】図３上のＡ―Ａ線に沿って切断した拡大部分断面図である。
【図５】上記したヘッドホン装置に備えるヘッドホンユニットとヘッドバンドとの連結部を拡大して示した部分的な右側面図である。
【図６】図５上のＢ―Ｂ線に沿って切断した拡大部分断面図である。
【図７】上記したヘッドホン装置におけるヘッドホンユニットとヘッドバンドの連結部を分解して示した斜視図である。
【図８】上記したヘッドホン装置の連結部に備える摺動子の拡大斜視図である。
【図９】ヘッドホンユニットを回転させた状態を示す上記ヘッドホン装置の背面図である。
【図１０】ヘッドホンユニットを回転させたときの連結部の動作を示す図４同様の拡大部分断面図である。
【図１１】上記したヘッドホン装置を頭部に実際に装着した状態を示す説明図である。
【図１２】ヘッドホン装置を頭部に実際に装着したときの上記連結部の動作を示す図４同様の拡大部分断面図である。
【図１３】従来例として示したヘッドホン装置の正面図である。
【図１４】図１３に示した従来のヘッドホン装置の右側面図である。
【発明を実施するための形態】
【００２１】
次に、本発明の実施形態について図面に沿って説明する。
図１は、本発明の一実施形態と示したヘッドホン装置の正面図、図２は同ヘッドホン装置の側面図である。
このヘッドホン装置は、電気音響変換部を内蔵させたヘッドホンユニットとヘッドバンドとの連結部に特徴があり、その他は、図１３、図１４に示した従来のヘッドホン装置と同じ構成であるから、同一部材には同じ参照符号を付してそれらの説明は省略する。
【００２２】
本実施形態の右側のヘッドホンユニット２１は連結部２３によって、左側のヘッドホンユニット２２は連結部２４によって各々ヘッドバンド１１に取り付けてあるが、これら連結部２３、２４は同構成であるので、連結部２３について詳細に説明する。
連結部２３は、図３、図４、図５、図６に拡大して示したように、ヘッドバンド１１の金属線１１ａ、１１ｂを貫通させた摺動子２５と、ヘッドホンユニット１２のハウジング２１ａに設けた回転嵌合部２６とから構成してある。
【００２３】
なお、図３はヘッドホンユニット２１とヘッドバンド１１の連結部２３を拡大して示した部分的な正面図、図４は図３上のＡ―Ａに沿って切断した部分拡大断面図、図５はヘッドホンユニット２１とヘッドバンド１１の連結部２３を拡大して示した部分的な右側面図、図６は図５上のＢ―Ｂに沿って切断した部分拡大断面図である。
【００２４】
連結部２３を形成する摺動子２５は、図７の分解図より分かるように、半円状の第１、第２の接合体２７、２８からなり、これら第１、第２の接合体２７、２８は、図４及び図６に示すように、第２の接合体２８から差し入れた小ネジ２９によって一体的に接合固定して形成した短柱状のブロックとなっている。
なお、第１の接合体２７には、位置決め凸部２７ａ、ネジ孔２７ｂ、金属線１１ａと１１ｂの挿通溝２７ｃ、２７ｄ、段形部２７ｅが設けてある。
また、第２の接合体２８には、位置決め凹部２８ａ、ネジ孔２８ｂ、金属線１１ａと１１ｂの挿通溝２８ｃ、２８ｄ、段形部２８ｅが設けてある。
【００２５】
上記のように構成した摺動子２５は、第１の接合体２７の位置決め凸部２７ａを第２の接合体２８の位置決め凹部２８ａに嵌合させてネジ２９によってネジ止めすると、図８に示すように、第１、第２の接合体２７、２８の挿通溝２７ｃと２８ｃとで金属線１１ａの挿通孔が形成され、挿通溝２７ｄと２８ｄとで金属線１１ｂの挿通孔が形成される。
また、図示するように、第１の接合体２７に形成した凹形部所と第２の接合体２８とによって回転規制部となる凹形部２７ｆが形成される。
【００２６】
他方、連結部２３を形成する回転嵌合部２６は、ヘッドホンユニット２１のハウジング２１ａの背後に円形隆起させて貫通孔３０を形成した円形隆起部３１と、この円形隆起部３１に対向するハウジング２１ａの内面に小ネジ３２ａ、３２ｂによって取付け固定した固定ブロック３３とより形成してある。
【００２７】
そして、円形隆起部３１には、貫通孔３０の孔縁に沿って所定の長さで形成したフランジ３１ａ、３１ｂ、円形隆起部内に突出させた回転規制部の凸形部３１ｃが設けてある。（図４、図７参照）
他方、固定ブロック３３には、上記した摺動子２５の円周面を接合させる円形曲面部３３ａ、この円形曲面部の両側に形成したフランジ３３ｂ、３３ｃ、ネジ孔３２ｄが設けてある。（図７参照）
【００２８】
上記した連結部２３の組み立ては、先ず、摺動子２５を形成する第１の接合体２７をハウジング２１ａの内側から円形隆起部３２内に挿入し、第１の接合体２７の段形部２７ｅを貫通孔３０のフランジ３１ｅ、３１ｄに合わせるように嵌め込む。
その後、ヘッドバンド１１の金属線１１ａ、１１ｂをその先端から円形隆起部３１の貫通孔３０内に挿入し、金属線１１ａ、１１ｂを挿入溝２７ｃ、２７ｄに落入させる。
【００２９】
続いて、第２の接合体２８をハウジング２１ａの内側から第１の接合体２７に合わせるように押し当て、このとき、挿通溝２８ｃ、２８ｄ内に金属線１１ａ、１１ｂを落入させるようにし、その後、第２の接合体２８のネジ孔２８ｂから小ネジ２９を差し入れてねじ込み第１、第２の接合体２７、２８を一体的に固定し、図４及び図６に示すところの摺動子２５を形成する。
なお、金属線１１ａと１１ｂの間隔は、第１、第２の接合体２７、２８の挿入溝２７ｃと２７ｄの間隔、２８ｃと２８ｄの間隔に合わせてあり、金属線１１ａ、１１ｂが円形隆起部３１の貫通孔３０内を通るようになっている。
【００３０】
さらに続いて、ハウジング２１ａの内側から固定ブロック３３を組み込む。
すなわち、固定ブロック３３のフランジ３３ｂ、３３ｃを第２の接合体２８の段形部２８ｅに合わせるようにし、固定ブロック３３のネジ孔３３ｄから小ネジ３２ａ、３２ｂをねじ込み、固定ブロック３３をハウジング２１ａの内面に固着させる。
【００３１】
上記した連結部２３は、ヘッドバンド１１の金属線１１ａ、１１ｂが摺動子２５を貫通しているから、この摺動子２５が金属線１１ａ、１１ｂに沿って非回転で摺動可能であり、したがって、ヘッドホンユニット２１が図１の矢印Ａ方向に移動可能となる。
【００３２】
また、この連結部２３は、回転嵌合部２６が摺動子２５の外周面を回転可能である。
つまり、円形隆起部３１のフランジ３１ａ、３１ｂと固定ブロック３３のフランジ３３ｂ、３３ｃが第１、第２の接合体２７、２８の段形部２７ｅ、２８ｅに嵌合するから、摺動子２５が円形隆起部３１の内部から抜け出ない。
したがって、回転嵌合部２６が摺動子２６の外周を非移動で回転可能となるので、図１に示す矢印Ｂ方向、つまり、ヘッドホンユニット２１をヘッドバンド１１の長手方向周りに回転させることができる。
【００３３】
また、ヘッドホンユニット１２が回転する場合、図４より分かるように、円形隆起部３１に設けた凸形部３１ｃが摺動子２５の凹形部２７ｆを移動する。
すなわち、図１に示すヘッドホンユニット２１の回転状態では、凸形部３１ｃが凹形部２７ｆの一方壁面２７ｆａに当たり、ヘッドホンユニット２１を回転させた限界位置では、凸形部３１ｃが凹形部２７ｆの他方壁面２７ｆｂに当接して、ヘッドホンユニット２１の回転範囲を規制する。
【００３４】
以上は右側のヘッドホンユニット２１の連結部２３について説明したが、左側のヘッドホンユニット２２の連結部２４は同様な構成となっており、ヘッドバンド１１の金属線１１ａ、１１ｂを摺動する摺動子と、この摺動子の外周面を回動可能な回転嵌合部とで構成してあり、ヘッドホンユニット２２が金属線１１ａ、１１ｂに沿って移動可能で、かつ、ヘッドバンド１１の長手方向周りに回転可能となっている。
【００３５】
したがって、上記したヘッドホン装置は、図１に示すように、耳当て部２１ｂ、２２ｂを向き合わせるようにヘッドホンユニット２１、２２を回転させた第１のセット状態で頭部に装着し、音響を聴取することができる。
なお、この第１のセット状態では、連結部２３に備えた円形隆起部３１の凸形部３１ｃは一方壁２７ｆａに当接する。他方の連結部２４についても同様の動作となる。
【００３６】
図１の第１のセット状態から、右側のヘッドホンユニット２１を９０度の範囲で左回転し、左側のヘッドホンユニット２２を９０度の範囲で右回転させ、これらヘッドホンユニット２１、２２の耳当て部２１ｂ、２２ｂを平行させると、図９に示す第２のセット状態となる。
この第２のセット状態では、ヘッドホン装置の奥行き幅が縮小するので、嵩張らないヘッドホン装置となり、収納保管、携帯、運搬などに便利なヘッドホン装置となる。
図１０は、ヘッドホンユニット１２を第２のセット状態に回動させたときの連結部２３の動作を示した図４同様の部分拡大断面図である。
連結部２４も同様の動作となる。
【００３７】
上記したヘッドホン装置は、ヘッドホンユニット２１、２２が回転可能であるので、頭部に装着することによって、ヘッドホンユニット２１、２２の耳当て部２１ｂ、２２ｂが、図１１に示すように耳４０ａの耳介に沿って傾斜するようになる。
すなわち、図１１に示すように、耳４０ａの耳介は後方が高く、前方に向かって低くなっているから、ヘッドホンユニット２１、２２の耳当て部２１ｂ、２２ｂがその耳介に圧接するため、ヘッドホンユニット２１、２２が図示するθのように顔面側に傾く。
この結果、ヘッドホンユニット２１、２２が耳４０ａに対し適度な角度で圧接し、出力される音響が効果的に外耳道に導かれる。
【００３８】
なお、図１１はヘッドホン装置を装着した状態を頭部４０の上方から見た説明図、図１２は図１１に示したように傾斜したヘッドホンユニット２１の連結部２３を示す図４同様の部分拡大断面図である。
【００３９】
以上、本発明の好ましい実施形態について説明したが、ヘッドバンド１１を構成する金属線は２本に限らず３本などの複数本とすることができ、また、ヘッドバンド１１の金属線１１ａ、１１ｂに換えて帯状弾性板を用いることができる。
なお、ヘッドバンド１１に帯状弾性板を設ける場合は、この帯状弾性板を貫通させる貫通孔を摺動子２５に設ける。
【産業上の利用可能性】
【００４０】
本発明は、ヘッドバンドを頭部に装着し、ヘッドバンドに取り付けたヘッドホンユニットを耳に当接させて音響を聴取するヘッドホン装置に適用する。
【符号の説明】
【００４１】
１１  ヘッドバンド
１１ａ、１１ｂ  金属線
２１、２２  ヘッドホンユニット
２１ａ、２２ａ  ハウジング
２３、２４   連結部
２５  摺動子
２６  回転嵌合部
２７  第１の接合体
２８  第２の接合体
３１  円形隆起部
３３  固定ブロック
【図１】
2011055177.tif 000003
【図２】
2011055177.tif 000004
【図３】
2011055177.tif 000005
【図４】
2011055177.tif 000006
【図５】
2011055177.tif 000007
【図６】
2011055177.tif 000008
【図７】
2011055177.tif 000009
【図８】
2011055177.tif 000010
【図９】
2011055177.tif 000011
【図１０】
2011055177.tif 000012
【図１１】
2011055177.tif 000013
【図１２】
2011055177.tif 000014
【図１３】
2011055177.tif 000015
【図１４】
2011055177.tif 000016